(57)【要約】【課題】舗装面の勾配又は不陸に影響されず、また、空中に水を飛ばすことなく、水を舗装面の全体にスムーズ且つ均一に流すことができる舗装体を提供する。【解決手段】舗装体は、第一溝群と、第二溝群を備える。第一溝群は、複数の第一流水溝を第一間隔で整列させて形成される。第一流水溝は、放水装置から流れ出た水を排水側へと向かう所定の方向に流す勾配を有する舗装面に設けられる。第一流水溝は、前述の舗装面の勾配と同一の勾配を有する。第二溝群は、複数の第二流水溝を第一間隔より幅広の第二間隔で整列させて形成される。第二流水溝は、舗装面に第一溝群と交差して設けられる。【選択図】図１
2015052251.tif 000002
【特許請求の範囲】
【請求項１】
放水装置から流れ出た水を排水側へと向かうとなる所定の方向に流す勾配を有する舗装面に設けられ、前記舗装面の勾配と同一の勾配を有する複数の第一流水溝を第一間隔で整列させて形成した第一溝群と、
前記舗装面に前記第一溝群と交差して設けられた複数の第二流水溝を前記第一間隔より幅広の第二間隔で整列させて形成した第二溝群と、を備える舗装体。
【請求項２】
前記第一流水溝は、底面が円弧状の溝である、請求項１に記載の舗装体。
【請求項３】
前記第二流水溝は、前記放水装置から前記排水側へと向かう前記所定の方向であって前記第一流水溝が延在する方向における前記第二流水溝の幅を狭くする突部を備え、
前記突部は、１本の前記第二流水溝に複数設けられている、請求項１又は請求項２に記載の舗装体。
【請求項４】
前記舗装体は、四角形状をした複数の舗装部材を敷設して形成され、
前記舗装部材には、
前記第一流水溝となる第一溝部分が前記第一間隔で複数形成され、
前記第二流水溝となる第二溝部分が前記舗装部材の外縁に沿って前記複数の第一溝部分に繋がった状態で形成されている、請求項１から請求項３の何れか１項に記載の舗装体。
【発明の詳細な説明】
【技術分野】
【０００１】
本発明は、建築物のアプローチ、各種施設等の広場、道路又は路地等に設けられる舗装体に関する。
【背景技術】
【０００２】
舗装に関する技術が提案されている。例えば、特許文献１には、アスファルト舗装の表層構造が開示されている。この表層構造では、アスファルト舗装路を構成する表層の表面に、高圧水流を吹付け、表層を構成する骨材間の接着成分及びモルタル成分が剥離され、表層の表面の骨材が露出される。表層構造には、表層の表面に所定の間隔で細溝が形成される。
【先行技術文献】
【特許文献】
【０００３】
【特許文献１】特開２０１１−１２２３５０号公報
【発明の概要】
【発明が解決しようとする課題】
【０００４】
舗装体の舗装面に水を流す場合がある。例えば、冬季においては、舗装面に積もった雪を融かす場合に、水が舗装面に流される。夏季においては、打水として、水が舗装面に流される。このとき、必要な場所に均一に水を行き渡らすためには、例えば、空中に水を飛ばせて散布する必要がある。単に舗装面に水を流し出すと、舗装面の不陸により水の流れが偏るからである。水を流す場所が人の往来するような場所であると、通行人は、空中を飛ぶ水で濡れないよう、これを避けながら歩行しなければならなくなる場合がある。融雪目的で水が流される場合、舗装面での水の流れは、舗装面に積もった雪によって遮られることもある。特に、積雪量が多い場合、このような状態になり易い。水の流れが遮られ水流に偏りが生じると、融雪の対象である舗装面の全体に水が流れず、水の流れない領域では雪が残ってしまう。また、水の流れが遮られる場合、全体的な融雪に多くの水量と時間を要することが想定される。
【０００５】
本発明は、舗装面の勾配又は不陸に影響されず、また、空中に水を飛ばすことなく、水を舗装面の全体にスムーズ且つ均一に流すことができる舗装体を提供することを目的とする。
【課題を解決するための手段】
【０００６】
本発明の一側面は、放水装置から流れ出た水を排水側へと向かう所定の方向に流す勾配を有する舗装面に設けられ、前記舗装面の勾配と同一の勾配を有する複数の第一流水溝を第一間隔で整列させて形成した第一溝群と、前記舗装面に前記第一溝群と交差して設けられた複数の第二流水溝を前記第一間隔より幅広の第二間隔で整列させて形成した第二溝群と、を備える舗装体である。
【０００７】
これによれば、第一溝群を形成する複数の第一流水溝によって水を勾配に沿って放水装置から排水側へと向かう所定の方向に流すと共に、第二溝群を形成する第一溝群に交差して設けられた第二流水溝によって、勾配に沿って流れる水を第一溝群と交差する方向に再分配することができる。例えば、舗装面上に雪のような水の流れを阻害する物がある場合、舗装面上の勾配に沿った水流が偏ることがあるが、このような状況であっても、第二流水溝によって、勾配に沿った水流の偏りを第一溝群と交差する方向に再分配することができる。舗装体の舗装面には、上述した「放水装置から流れ出た水を排水側へと向かう所定の方向に流す勾配」の他、例えば、第一溝群と交差する方向にも勾配が設けられることがある。異なる方向の２つの勾配を有する舗装面に、上述した複数の第一流水溝による第一溝群が形成されていないと仮定する。この場合、水は、このような舗装面上を、２つの勾配の合成方向に流れることとなり、舗装面には、水が行き渡らない領域が形成されてしまうことがある。上述した舗装体では、舗装面に第一溝群が形成されているため、第一溝群と交差する方向への勾配に関わらず、水を予定する、放水装置から排水側へと向かう所定の方向に流すことができる。第一溝群を形成する複数の第一流水溝と、第二溝群を形成し水流の再分配機能を有する複数の第二流水溝により、舗装面の意匠性を向上させることができる。即ち、舗装体において、水流の再分配機能と意匠性を両立させることができる。
【０００８】
この舗装体において、前記第一流水溝は、底面が円弧状の溝としてもよい。これによれば、水を勾配に沿ってスムーズに流すことができる。第一流水溝の底面を円弧状とすることで、例えば、底面が平面状である場合と比較し、第一流水溝を水が流れる方向から視たときの水に接する溝の部分（潤辺）の長さを短くすることができる。潤辺を短くすることで抵抗が抑制され、水の流速を向上させることができる。第一流水溝に存する埃等を、水で流し、第一流水溝をクリーンな状態とすることができる。
【０００９】
前記第二流水溝は、前記放水装置から前記排水側へと向かう前記所定の方向であって前記第一流水溝が延在する方向における前記第二流水溝の幅を狭くする突部を備え、前記突部は、１本の前記第二流水溝に複数設けられている、ようにしてもよい。これによれば、突部により第二流水溝での水の流れを妨げ、１本の第二流水溝に設けられた隣り合う突部間で水を再分配し、第二流水溝より勾配の下手側に設けられた第一流水溝に再分配された水を流すことが可能となる。
【００１０】
前記舗装体は、四角形状をした複数の舗装部材を敷設して形成され、前記舗装部材には、前記第一流水溝となる第一溝部分が前記第一間隔で複数形成され、前記第二流水溝となる第二溝部分が前記舗装部材の外縁に沿って前記複数の第一溝部分に繋がった状態で形成されている、ようにしてもよい。これによれば、舗装部材を用いて舗装体を形成することができる。舗装面に第一溝群と第二溝群を形成することができる。水流の再分配機能と意匠性を両立させた舗装体を容易に形成することが可能となる。
【発明の効果】
【００１１】
本発明によれば、舗装面の勾配又は不陸に影響されず、また、空中に水を飛ばすことなく、水を舗装面の全体にスムーズ且つ均一に流すことができる舗装体を得ることができる。
【図面の簡単な説明】
【００１２】
【図１】舗装体と放水装置を備える流水システムの概略構成の一例を示す斜視図である。
【図２】舗装面の一部を示す平面図である。
【図３】図１の舗装体を形成する舗装部材の概略構成の一例を示す斜視図である。
【図４】舗装部材の概略構成の他の例を示す斜視図である。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１４】
＜舗装体及び流水システム＞
舗装体１０及び流水システムについて、図１及び図２を参照して説明する。舗装体１０は、後述する放水装置５０と共に流水システムを構成する。図１に示す、舗装体１０と放水装置５０を備える流水システムは、例えば、建築物のアプローチ、各種施設等の広場、道路又は路地等に設けられる。舗装体１０は、複数の舗装部材４０を敷設して形成される。図１に示す舗装体１０は、１２個の舗装部材４０を敷設した状態としている。舗装部材４０については、後述する。舗装体１０は、図１に示すように、勾配を有する舗装面１２を含む。舗装面１２の勾配は、舗装体１０が設けられる場所等を考慮し、適宜設定される。勾配は、例えば、「１／Ｎ」というように定義される。１／Ｎの勾配を有する舗装面１２は、水平にＮｃｍ進んだときの高低差が１ｃｍとなる傾斜面（傾斜角をθ（図１参照）としたとき、ｔａｎθ＝１／Ｎ）である。舗装体１０の勾配は、例えば、１／５０〜１／１００程度に設定される。
【００１５】
舗装体１０において舗装面１２には、第一溝群２０と、第二溝群３０が形成される。第一溝群２０は、舗装面１２に形成された複数の第一流水溝２２により構成される。舗装体１０において、第一流水溝２２は、舗装面１２と同じ勾配を有する。即ち、第一流水溝２２は、勾配を有する舗装面１２と同じ方向に同一割合で傾斜した溝である。第一流水溝２２の底面は、円弧状とされる。
【００１６】
第一流水溝２２は、第一延在方向に直交する方向において所定の第一間隔Ｗ１で整列して形成される（図１及び図２参照）。第一延在方向は、第一流水溝２２が延在する方向である。舗装体１０において、勾配の上手側から下手側に向かう方向は、第一延在方向に対応する。本実施形態では、第一延在方向のうち、勾配の上手側から下手側に向かう方向を、「傾斜方向」という（図１参照）。勾配の下手側は、水の排水側となる。本実施形態で「勾配」とは、特に断らない限り、図１に示す勾配をいう。第一間隔Ｗ１は、隣り合う２本の第一流水溝２２のそれぞれにおいて対向した位置関係となる各溝側面の間の寸法である。第一間隔Ｗ１は、諸条件を考慮し適宜設定される。第一間隔Ｗ１は、数ミリ〜数十ミリ程度に設定される。例えば、第一間隔Ｗ１は、１０ｍｍに設定される。
【００１７】
第二溝群３０は、舗装面１２に形成された複数の第二流水溝３２により構成される。第二溝群３０において第二流水溝３２は、第一溝群２０と交差して設けられる（図１及び図２参照）。第二流水溝３２が第一溝群２０と交差する角度と第二流水溝３２の本数は、諸条件を考慮し適宜設定される。図１では、２本の第二流水溝３２がそれぞれ第一溝群２０と直交して設けられている。本実施形態は、２本の第二流水溝３２がそれぞれ第一溝群２０に直交している場合を例に説明する。舗装面１２において第一溝群２０と直交して設けられた第二流水溝３２は、第一延在方向に直交する方向に延在する。第一延在方向に直交する方向を、「第二延在方向」という。
【００１８】
第二流水溝３２は、第一延在方向において第二間隔Ｗ２で形成される（図２参照）。第二間隔Ｗ２は、２本の第一流水溝２２の第一間隔Ｗ１より幅広とされる。例えば、第二間隔Ｗ２は、第一間隔Ｗ１の数倍〜数百倍の範囲に設定される。例えば、第二間隔Ｗ２は、第一間隔Ｗ１の１０倍〜５０倍程度に設定される。第二流水溝３２には、複数の突部３４が設けられる。第二流水溝３２は、突部３４が設けられた部分において、第一延在方向の幅が狭くなる。第一延在方向において、突部３４が設けられていない第二流水溝３２の部分の幅を「幅Ｗ４」とし、突部３４が設けられた第二流水溝３２の部分の幅を「幅Ｗ５」としたとき、幅Ｗ４は幅Ｗ５の２倍（幅Ｗ４＝２×幅Ｗ５）となる（図２参照）。例えば、幅Ｗ４は、１０ｍｍ程度に設定される。
【００１９】
本実施形態では、２本の第二流水溝３２を区別する場合、勾配の上手側に形成された第二流水溝３２を、「第二流水溝３２Ａ」といい、勾配の下手側に形成された第二流水溝３２を、「第二流水溝３２Ｂ」という。「第二流水溝３２」は、第二流水溝３２Ａと第二流水溝３２Ｂを区別せず又は総称するものである。また、本実施形態では、第二流水溝３２Ａより勾配の上手側となる第一溝群２０の領域を、「上手領域２０Ａ」といい、第二流水溝３２Ａと第二流水溝３２Ｂの間となる第一溝群２０の領域を、「中手領域２０Ｂ」といい、第二流水溝３２Ｂより勾配の下手側となる第一溝群２０の領域を、「下手領域２０Ｃ」という（図１及び図２参照）。上述した第二間隔Ｗ２は、第一延在方向における中手領域２０Ｂの寸法に一致する。
【００２０】
放水装置５０は、舗装体１０に対して勾配の上手側に設けられる。放水装置５０の放水領域ＲＡにおいて舗装体１０と接する第二延在方向に沿った領域には、図１に示すように、舗装体１０の上面より所定量低く設定された境界領域ＲＢを形成するようにしてもよい。境界領域ＲＢを形成する場合、境界領域ＲＢの深さＤは、諸条件を考慮し適宜設定される。例えば、境界領域ＲＢの深さＤは、境界領域ＲＢの底部が勾配の上手側で境界領域ＲＢに連続する第二溝部分４４（図２参照  「第二溝部分４４」については後述する）と同じレベルとなるように設定される。舗装体１０の舗装面１２には、上述した第一延在方向の勾配（図１参照）の他、第二延在方向にも勾配（不図示）が設けられることがある。このような場合、境界領域ＲＢの深さＤは、この第二延在方向の勾配も考慮し適宜設定される。例えば、５ｍｍ以下の深さで、第二延在方向の勾配に反比例するように設定される。
【００２１】
流水システムが地下水の豊富な場所又は河川若しくは用水路等の近くに形成される場合、放水装置５０は、地下水又は河川等を流れる水を汲み上げるポンプ（不図示）を含む。放水装置５０では、汲み上げられた地下水が、放水領域ＲＡに設けられた複数の放水口５２から流れ出る。この他、舗装体１０が小規模である場合等においては、放水装置５０は、例えば、上水道に接続された構成であってもよい。この場合、放水装置５０では、散水孔（「放水口５２」に対応）が一定間隔で形成された塩化ビニール等の樹脂製管又はホース等が放水領域ＲＡに設けられる。放水装置５０では、上水道から供給された水が、放水領域ＲＡに設けられた複数の散水孔から流れ出る。
【００２２】
放水装置５０から流れ出た水は、第一溝群２０の各第一流水溝２２と、第二溝群３０の第二流水溝３２Ａ，３２Ｂをそれぞれ流れる。具体的に、放水装置５０から流れ出た水は、放水領域ＲＡの境界領域ＲＢを介して上手領域２０Ａの各第一流水溝２２に流入し、これらを傾斜方向に流れる。上手領域２０Ａの各第一流水溝２２を通過した水は、上手領域２０Ａの各第一流水溝２２の下手側の端部に繋がる第二流水溝３２Ａに流入し、第二流水溝３２Ａを流れる。その際、第二流水溝３２Ａに流入した水は、傾斜方向に流れると共に、第二延在方向にも広がる。第二延在方向への水の流れは、第二流水溝３２Ａに設けられた突部３４によって妨げられる。
【００２３】
水は、複数の突部３４が設けられた第二流水溝３２Ａに流入した後、勾配の上手側の端部が第二流水溝３２Ａに繋がる中手領域２０Ｂの各第一流水溝２２に流入し、これらを傾斜方向に流れる。中手領域２０Ｂの各第一流水溝２２を通過した水は、中手領域２０Ｂの各第一流水溝２２の下手側の端部に繋がる第二流水溝３２Ｂに流入し、第二流水溝３２Ｂを流れる。その際、第二流水溝３２Ｂに流入した水は、傾斜方向に流れると共に、第二延在方向にも広がる。第二延在方向への水の流れは、第二流水溝３２Ｂに設けられた突部３４によって妨げられる。
【００２４】
水は、複数の突部３４が設けられた第二流水溝３２Ｂに流入した後、勾配の上手側の端部が第二流水溝３２Ｂに繋がる下手領域２０Ｃの各第一流水溝２２に流入し、これらを傾斜方向に流れる。下手領域２０Ｃの各第一流水溝２２を通過した水は、排水溝又は地盤（不図示）に排出される。
【００２５】
＜舗装部材＞
舗装部材４０について、図３を参照して説明する。図３に示す各方向は、舗装部材４０を敷設して形成された舗装体１０（図１参照）の各方向に準ずる。舗装部材４０は、平面視した形状が四角形状をなしたブロック状又はタイル状の部材であって、例えば、石材、セラミック材又はコンクリートによって形成される。舗装体１０の耐久性を考慮した場合、舗装体１０を形成する舗装部材４０は、高硬度の材質とするとよい。
【００２６】
舗装部材４０には、表面に複数の第一溝部分４２と２本の第二溝部分４４が形成される。図３では、１個の舗装部材４０に形成された第一溝部分４２の本数を１０本としているが、この本数は例示である。１個の舗装部材４０に形成される第一溝部分４２の本数は、諸条件を考慮し適宜設定される。
【００２７】
第一溝部分４２と第二溝部分４４は、一定の厚みの基材の表面に形成される。例えば、舗装部材４０を石材により形成する場合、第一溝部分４２と第二溝部分４４は、石材の表面を加工して形成される。舗装部材４０をセラミック材又はコンクリートにより形成する場合、第一溝部分４２と第二溝部分４４は、成型の際に形成される。第一溝部分４２は、第二延在方向に第一間隔Ｗ１で整列した状態で形成される。第一溝部分４２は、底面が円弧状をなした一定の幅及び深さの溝である。第一溝部分４２の幅は、例えば、第一間隔Ｗ１と同程度に設定される。第一溝部分４２の深さは、数ミリ〜数十ミリ程度に設定される。例えば、第一溝部分４２の幅及び深さは、幅１０ｍｍで深さ３ｍｍ〜５ｍｍに設定される。
【００２８】
第二溝部分４４は、底面が平面状をなした一定の深さの溝である。第二溝部分４４の底面は、第一溝部分４２と同様、円弧状としてもよい。第二溝部分４４の底面の形状は、諸条件を考慮し適宜設定される。第二溝部分４４の深さは、例えば、第一溝部分４２と同程度に設定される。第二流水溝３２Ａ，３２Ｂがそれぞれ第一溝群２０に直交している場合を例とする本実施形態では、第二溝部分４４は、舗装部材４０の外縁に沿って、全ての第一溝部分４２に垂直に繋がった状態で形成される。２本の第二溝部分４４がそれぞれ形成される舗装部材４０の外縁は、第一溝部分４２が延在する第一延在方向の両側の辺部である。第二溝部分４４には、第一溝部分４２の第一延在方向の各端部が繋がる。第一延在方向における第二溝部分４４の幅は、第二流水溝３２の幅Ｗ４の半分（幅Ｗ５）に設定される。例えば、第二流水溝３２の幅Ｗ４を１０ｍｍとする場合、第二溝部分４４の幅Ｗ５は、５ｍｍに設定される。
【００２９】
複数の舗装部材４０により舗装体１０を形成する場合、複数の舗装部材４０は、舗装体１０の施工場所に形成された基礎部６０上に敷設される（図１参照）。舗装部材４０が敷設される基礎部６０は、例えば、コンクリートを打設して形成される。この他、基礎部６０は、砕石基礎又は砂基礎としてもよい。基礎部６０の表面は、予め設定された勾配を有する。複数の舗装部材４０が基礎部６０上に敷設されて舗装体１０が形成された場合、舗装部材４０の表面は、基礎部６０の勾配と同じ勾配を有する舗装面１２となり、第一溝部分４２は、基礎部６０の勾配と同じ勾配を有する第一流水溝２２となる。第二溝部分４４は、隣り合って接する他の第二溝部分４４と共に第二流水溝３２を形成する。舗装体１０の舗装面１２に第一延在方向の勾配（図１参照）の他、第二延在方向にも勾配（不図示）を設ける場合、基礎部６０の表面には、第二延在方向にも勾配が設けられる。
【００３０】
第一溝群２０のうちの上手領域２０Ａは、勾配の上手側で放水領域ＲＡに沿って第二延在方向に並べられた複数の舗装部材４０（図１では「４個」を図示）によって形成される。第二延在方向に隣り合う２個の舗装部材４０は、対向する各面同士が接した状態とされる。
【００３１】
第一溝群２０のうちの中手領域２０Ｂは、上手領域２０Ａに対して勾配の下手側で上手領域２０Ａに沿って第二延在方向に並べられた複数の舗装部材４０（図１では「４個」を図示）によって形成される。第二延在方向に隣り合う２個の舗装部材４０は、対向する各面同士が接した状態とされる。また、中手領域２０Ｂを形成する第二延在方向に整列した複数の舗装部材４０は、図１に示す状態を基準として、勾配の上手側となる側面が上手領域２０Ａを形成する複数の舗装部材４０の勾配の下手側となる側面に接した状態とされる。このとき、中手領域２０Ｂを形成する複数の舗装部材４０は、第一延在方向において隣り合う上手領域２０Ａを形成する複数の舗装部材４０に対して、第二延在方向にずれて配置される（図１参照）。第二流水溝３２Ａは、上手領域２０Ａを形成する複数の舗装部材４０の勾配の下手側に形成された第二溝部分４４のそれぞれと、中手領域２０Ｂを形成する複数の舗装部材４０の勾配の上手側に形成された第二溝部分４４のそれぞれにより形成される。上手領域２０Ａと中手領域２０Ｂを形成する各舗装部材４０を第二延在方向にずらして配置することで、突部３４が位置する部分で第二流水溝３２Ａの幅は、幅Ｗ４から幅Ｗ５へと狭くなる。
【００３２】
第一溝群２０のうちの下手領域２０Ｃは、中手領域２０Ｂに対して勾配の下手側で中手領域２０Ｂに沿って第二延在方向に並べられた複数の舗装部材４０（図１では「４個」を図示）によって形成される。第二延在方向に隣り合う２個の舗装部材４０は、対向する各面同士が接した状態とされる。また、下手領域２０Ｃを形成する第二延在方向に整列した複数の舗装部材４０は、図１に示す状態を基準として、勾配の上手側となる側面が中手領域２０Ｂを形成する複数の舗装部材４０の勾配の下手側となる側面に接した状態とされる。このとき、下手領域２０Ｃを形成する複数の舗装部材４０は、第一延在方向において隣り合う中手領域２０Ｂを形成する複数の舗装部材４０に対して、第二延在方向にずれて配置される（図１参照）。第二流水溝３２Ｂは、中手領域２０Ｂを形成する複数の舗装部材４０の勾配の下手側に形成された第二溝部分４４のそれぞれと、下手領域２０Ｃを形成する複数の舗装部材４０の勾配の上手側に形成された第二溝部分４４のそれぞれにより形成される。中手領域２０Ｂと下手領域２０Ｃを形成する各舗装部材４０を第二延在方向にずらして配置することで、突部３４が位置する部分で第二流水溝３２Ｂの幅は、幅Ｗ４から幅Ｗ５へと狭くなる。
【００３３】
上述した通り、上手領域２０Ａと中手領域２０Ｂと下手領域２０Ｃにおいて、舗装部材４０は第二延在方向にずれて配置される。ここで、上手領域２０Ａと中手領域２０Ｂと下手領域２０Ｃで舗装部材４０を第二延在方向にずらす量（舗装部材４０のずれ量）は、諸条件を考慮し適宜設定される。例えば、舗装部材４０のずれ量は、第二延在方向における舗装部材４０の幅の半分程度に設定される（図１参照）。上手領域２０Ａと中手領域２０Ｂと下手領域２０Ｃで舗装部材４０を第二延在方向にずらして配置した場合において、各領域の第一流水溝２２のそれぞれは、第一間隔Ｗ１の範囲で第二延在方向にずれて配置された状態（図２に１点鎖線で示す符号「Ｌ」の直線参照）、又は、第二延在方向にずれることなく第一延在方向に直線的に配置された状態（不図示）とされる。
【００３４】
＜流水システムの応用例＞
舗装体１０と放水装置５０を備える流水システム（図１参照）によれば、第一溝群２０と第二溝群３０を介して水を傾斜方向に沿って舗装面１２の全体にスムーズ且つ均一に流すことができる。従って、流水システムは、例えば、融雪システムとして利用することができる。舗装体１０と放水装置５０を備える融雪システムによれば、舗装面１２の何れかの部分に雪の塊があるような場合であっても、雪の塊の下方にある第一流水溝２２を通じて勾配の下手側に水を流すことができる。雪の塊の下方を流れる水及び／又はその水の温度（その水からの熱）によって、融雪することができる。仮に、雪の塊によって第一流水溝２２が埋まったとしても、第二溝群３０に含まれる第二流水溝３２Ａ及び／又は第二流水溝３２Ｂにより、この雪の塊より勾配の下手側に回り込むような水流を作ることができる。第一溝群２０における第一流水溝２２の底を円弧状とすることで、水の流速を向上させ、水を傾斜方向にスムーズに流すことができる。そのため、スムーズ且つ均一に流れる水を舗装面１２上の雪の塊に衝突させることで、融雪を効果的に行うことが可能となる。
【００３５】
この他、流水システムは、打水システムとして利用することができる。舗装体１０と放水装置５０を備える打水システムによれば、少量の水を舗装面１２の全体にスムーズ且つ均一に行き渡らせることにより、高温となった舗装面１２を効果的に冷やし、涼気を得ることができる。また、舗装面１２の埃を鎮めることができる。上述したような流水システムでは、放水装置５０からの放水時間を制御することで、予め定めた時間に水を流すこともできる。
【００３６】
＜本実施形態の効果＞
本実施形態によれば、次のような効果を得ることができる。
【００３７】
（１）第一溝群２０と第二溝群３０を備える舗装体１０とした（図１参照）。第一溝群２０は、放水装置５０から流れ出た水を排水側へと向かう所定の方向（傾斜方向）に流す勾配を有する舗装面１２に設けられ、舗装面１２の勾配と同一の勾配を有する複数の第一流水溝２２を第一間隔Ｗ１で整列させて形成される。第二溝群３０は、舗装面１２に第一溝群２０と直交して設けられた第二流水溝３２Ａ，３２Ｂを第一間隔Ｗ１より幅広の第二間隔Ｗ２で整列させて形成される。
【００３８】
そのため、第一溝群２０を形成する複数の第一流水溝２２によって水を勾配に沿って傾斜方向に流すと共に、第二溝群３０を形成する第二流水溝３２Ａ，３２Ｂによって、勾配に沿って傾斜方向に流れる水を第二延在方向に再分配することができる。例えば、舗装面１２上に雪のような水の流れを阻害する物がある場合、舗装面１２上の勾配に沿った傾斜方向への水流が偏ることがあるが、このような状況であっても、第二流水溝３２Ａ，３２Ｂによって、前述した水流の偏りを第二延在方向に再分配することができる。
【００３９】
上述した通り、舗装体１０の舗装面１２には、第一延在方向の勾配（図１参照）の他、第二延在方向にも勾配（不図示）が設けられることがある。異なる方向の２つの勾配を有する舗装面に、上述した複数の第一流水溝２２による第一溝群２０が形成されていないと仮定する。この場合、水は、このような舗装面上を、２つの勾配の合成方向に流れることとなり、舗装面には、水が行き渡らない領域が形成されてしまうことがある。舗装体１０では、舗装面１２に第一溝群２０が形成されているため、第二延在方向への勾配に関わらず、水を予定する、放水装置５０から排水側へと向かう所定の方向（傾斜方向）に流すことができる。
【００４０】
舗装体１０によれば、第一溝群２０と第二溝群３０により、舗装面１２の勾配（第一延在方向及び第二延在方向の各勾配を含む）又は不陸に影響されず、また、空中に水を飛ばすことなく、水を舗装面１２の全体にスムーズ且つ均一に流すことができる。第一溝群２０を形成する複数の第一流水溝２２と、第二溝群３０を形成し水流の再分配機能を有する第二流水溝３２により、舗装面１２の意匠性を向上させることができる。即ち、舗装体１０において、水流の再分配機能と意匠性を両立させることができる。
【００４１】
（２）第一流水溝２２（第一溝部分４２）を底面が円弧状の溝とした（図１及び図３参照）。そのため、水を勾配に沿って傾斜方向にスムーズに流すことができる。第一流水溝２２の底面を円弧状とすることで、例えば、底面が平面状である場合と比較し、第一流水溝２２の潤辺を短くすることができる。潤辺は、溝を水が流れる方向（傾斜方向）から視たときの水に接する溝の部分である。潤辺を短くすることで抵抗が抑制され、水の流速を向上させることができる。第一流水溝２２に存する埃等を、水で流し、第一流水溝２２をクリーンな状態とすることができる。
【００４２】
（３）第二流水溝３２Ａ，３２Ｂのそれぞれに突部３４を複数設け、第一延在方向における第二流水溝３２の幅を部分的に狭くすることとした（幅Ｗ５＜幅Ｗ４  図２参照）。上手領域２０Ａに形成された複数の第一流水溝２２のうち、隣り合う２個の突部３４の間となる第二流水溝３２Ａの部分に繋がる一部の第一流水溝２２を通過した水は、前述した２個の突部３４の間となる第二流水溝３２Ａの部分に流入し、この部分を流れる。また、中手領域２０Ｂに形成された複数の第一流水溝２２のうち、隣り合う２個の突部３４の間となる第二流水溝３２Ｂの部分に連続する一部の第一流水溝２２を通過した水は、前述した２個の突部３４の間となる第二流水溝３２Ｂの部分に流入し、この部分を流れる。そのため、第二流水溝３２Ａ，３２Ｂにより水を第二延在方向に再分配し、勾配の下手側に形成された第一流水溝２２に再分配された水を流すことができる。
【００４３】
上述した通り、舗装体１０の舗装面１２には、第一延在方向の勾配（図１参照）の他、第二延在方向にも勾配（不図示）が設けられることがある。第二延在方向にも勾配が設けられる場合、第二流水溝３２Ａ，３２Ｂに流入した水は、第二延在方向に流れ易くなる。突部３４により、第二延在方向に流れ易くなった水の流れを妨げることができる。第二延在方向への水の流れを妨げることで、第二流水溝３２Ａ，３２Ｂを流れる水を、第一流水溝２２の側により流れ易くさせることができる。
【００４４】
（４）舗装体１０を、表面に勾配を有する基礎部６０上に複数の舗装部材４０を敷設して形成することとした（図１及び図３参照）。そのため、舗装部材４０を敷設することで、第一溝群２０と第二溝群３０が設けられた舗装面１２を形成することができる。水流の再分配機能と意匠性が両立された舗装体１０を容易に形成することが可能となる。
【００４５】
＜変形例＞
本実施形態は、次のようにすることもできる。以下の構成によっても、上記同様の効果を得ることができる。
【００４６】
（１）上記では、舗装部材４０の外縁のうち、第一溝部分４２が延在する第一延在方向の両側の辺部に沿って、１０本の第一溝部分４２に垂直に繋がった状態で２本の第二溝部分４４を形成した舗装部材４０を例に説明した（図３参照）。舗装部材４０は、第一延在方向の両側の辺部のうちの片側の辺部に第二溝部分４４を形成した構成としてもよい（図４参照）。この場合、第一延在方向における第二溝部分４４の幅は幅Ｗ４（例えば、１０ｍｍ）に設定される。図４に示す舗装部材４０を敷設して形成される舗装体（不図示）において、複数の突部３４のそれぞれは、第二流水溝３２を堰き止めた状態とする。即ち、突部３４は、第二流水溝３２を堰き止める止水部として機能する。図４に示す舗装部材４０に関するこの他の点は、上述した舗装部材４０（図３参照）と同様であり、その説明は省略する。
【００４７】
舗装体は、図３に示す舗装部材４０を格子状、換言すれば、碁盤の目状に敷設し形成するようにしてもよい。この場合、接することとなる２個の突部３４は、図４に示す舗装部材４０の突部３４と同様、第二流水溝３２を堰き止める止水部として機能する。図４に示す舗装部材４０のように、第一延在方向の両側の辺部のうちの片側の辺部にだけ幅Ｗ４の第二溝部分４４を設けた舗装部材において、突部を、例えば、先端側が幅Ｗ５だけ切り欠かれた形状とした場合、図１に示す舗装体１０と同様、幅Ｗ５の部分を含む第二流水溝３２を実現することができる。図４に示す符号「Ｗ５」は、前述した片側の辺部にだけ幅Ｗ４の第二溝部分４４を設けた舗装部材による舗装体において幅Ｗ５の部分を含む第二流水溝３２を実現するために、切り欠かれる先端側の幅Ｗ５の部分を示す。
【００４８】
（２）上記では、突部３４を設けた第二流水溝３２を例に説明した。第二流水溝３２において突部３４は、省略するようにしてもよい。第二流水溝３２において突部３４を省略するか否かは、第二流水溝３２から第一流水溝２２への水流等の諸条件を考慮し決定するとよい。
【００４９】
（３）舗装体１０の形成に際し、所定の隙間を設けて複数の舗装部材４０を敷設し、隣り合う舗装部材４０の間に、例えばモルタルのような部材を充填するようにしてもよい。モルタルは、セメントと砂を適量の水と混ぜ合わせて生成される。第一延在方向の両側の辺部のうちの片側の辺部にだけ第二溝部分を設けた舗装部材（例えば、図４に示す「舗装部材４０」参照）を敷設して形成される舗装体によっても、幅狭の部分を含む第二流水溝を実現することができる。第一延在方向において、第二溝部分及び突部の各幅を幅Ｗ５としモルタルの幅を幅Ｗ５とした場合、図１に示す舗装体１０と同様、幅Ｗ５の部分を含む第二流水溝３２を実現することができる。
【符号の説明】
【００５０】
１０  舗装体
１２  舗装面
２０  第一溝群
２０Ａ  上手領域
２０Ｂ  中手領域
２０Ｃ  下手領域
２２  第一流水溝
３０  第二溝群
３２，３２Ａ，３２Ｂ  第二流水溝
３４  突部
４０  舗装部材
４２  第一溝部分
４４  第二溝部分
５０  放水装置
６０  基礎部
Ｄ  深さ
ＲＡ  放水領域
ＲＢ  境界領域
Ｗ１  第一間隔
Ｗ２  第二間隔
Ｗ４，Ｗ５  幅
θ  傾斜角
【図１】
2015052251.tif 000003
【図２】
2015052251.tif 000004
【図３】
2015052251.tif 000005
【図４】
2015052251.tif 000006